(57)【要約】【課題】端末間に一対一でコンテンツを共有し、同時再生するようにしたコンテンツ同時再生端末、コンテンツ同時再生システムおよびコンテンツ同時再生方法を提供する。【解決手段】単一無線アクセスポイントのネットワーク環境でブロードキャスティング方式で伝播された端末情報を利用して隣接端末間で識別し、所定端末が任意の隣接端末と前記コンテンツを同時再生するための共有環境を設定および受諾する。ネットワーク環境の識別、隣接端末の検索および選択という単純な共有の手順を通じてコンテンツを同時再生する。一対一で接続された両側の端末でコンテンツを共有する時、一側の端末からストリーミング方式で伝送し、他側の端末がこれを受信して隣接端末間で同時再生する。【選択図】図４
2012249275.tif 000002
【特許請求の範囲】
【請求項１】
単一無線アクセスポイントのネットワークで隣接端末とコンテンツを共有して同時再生する端末において、
前記ネットワークの環境を識別するネットワーク識別部と、
駆動時、自分の情報をブロードキャスティング方式で伝播し、同一の方式で伝播された情報を通じて前記ネットワークの環境に属する同一構成の隣接端末を検索する共有端末検索部と、
前記隣接端末と前記コンテンツを同時再生するための共有環境を設定し、検索された隣接端末の中の任意の単一隣接端末を選択して接続を要請するか、または、任意の単一隣接端末からの接続要請を許可する共有環境設定部と、
前記隣接端末と共有して同時再生するコンテンツの再生情報を管理する再生情報部と、
前記共有環境下で接続された前記隣接端末に共有したコンテンツをストリーミング方式で伝送するストリーミング部と、および
前記共有環境下で接続された前記隣接端末から共有されたコンテンツをストリーミング方式で受信して再生するか、前記ストリーミング部が伝送するコンテンツを再生する再生部を備えた再生機能部とを含む
コンテンツ同時再生端末。
【請求項２】
前記共有環境設定部は、
前記共有環境をマスターモード、またはスレーブモードと区分して設定し、
前記端末がマスターモードである場合、前記ストリーミング部を通じて、前記共有環境下で接続した前記隣接端末に共有したコンテンツをストリーミング方式で伝送し、
前記端末がスレーブモードである場合、前記再生部を通じて、前記共有環境下で接続した前記隣接端末から共有されたコンテンツをストリーミング方式で受信して再生する
ことを特徴とする請求項１に記載のコンテンツ同時再生端末。
【請求項３】
前記共有環境設定部は、
前記端末がマスターモードである場合、前記同時再生するコンテンツの再生制御に関する権限を独占する
ことを特徴とする請求項２に記載のコンテンツ同時再生端末。
【請求項４】
前記再生情報部は、
コンテンツの再生リンク情報、または、既保存されたコンテンツのファイルを前記コンテンツの再生情報として管理する
ことを特徴とする請求項１に記載のコンテンツ同時再生端末。
【請求項５】
前記再生情報部は、
前記コンテンツの再生情報として、タイトル、歌手および再生時間のようなコンテンツの再生付加情報をさらに含めて管理する
ことを特徴とする請求項１に記載のコンテンツ同時再生端末。
【請求項６】
前記共有端末検索部は、
前記ネットワークの環境に属する一つ以上の隣接端末をＩＰアドレスで区分して表示する
ことを特徴とする請求項１に記載のコンテンツ同時再生端末。
【請求項７】
前記再生機能部は、
アプリケーションの形式として具現された
ことを特徴とする請求項１に記載のコンテンツ同時再生端末。
【請求項８】
前記共有環境設定部は、
前記共有するコンテンツをユーザーが選択することのできるコンテンツユーザーインターフェースをさらに含む
請求項１に記載のコンテンツ同時再生端末。
【請求項９】
前記コンテンツの種類は、音楽、動画、または、映画の中の一つである
ことを特徴とする請求項１に記載のコンテンツ同時再生端末。
【請求項１０】
単一無線アクセスポイントのネットワークで、前記ネットワークの環境に属する一つ以上の隣接端末を検索し、この中の所定隣接端末とコンテンツを共有して同時再生するコンテンツ同時再生システムにおいて、
前記コンテンツ同時再生システムは、駆動時、自分の情報をブロードキャスティング方式で伝播し、同一の方式で伝播された情報を通じて、前記ネットワークの環境に属する同一構成の隣接端末を検索し、隣接端末と前記コンテンツを同時再生するための共有環境を設定して、検索された隣接端末の中の任意の単一隣接端末を選択して接続を要請するか、または、任意の単一隣接端末からの接続要請を許可する第一端末および第二端末を含むが、
前記第一端末は、前記第二端末と共有して同時再生するコンテンツの再生情報を管理し、前記共有環境下で接続された前記第二端末に共有したコンテンツをストリーミング方式で伝送し、
前記第二端末は、前記共有環境下で接続された前記第一端末から共有したコンテンツをストリーミング方式で受信して再生する
ことを特徴とするコンテンツ同時再生システム。
【請求項１１】
前記第一端末は、
前記同時再生するコンテンツの再生制御に関する権限を独占する
ことを特徴とする請求項１０に記載のコンテンツ同時再生システム。
【請求項１２】
単一無線アクセスポイントのネットワークで隣接端末とコンテンツを共有して同時再生する端末のコンテンツ同時再生方法において、
ａ）前記端末が前記ネットワークの環境を識別する段階と；
ｂ）前記端末が駆動時、自分の情報をブロードキャスティング方式で伝播し、同一の方式で伝播された情報を通じで前記ネットワークの環境に属する同一構成の隣接端末を検索する段階と；
ｃ）前記端末が前記隣接端末と前記コンテンツを同時再生するための共有環境を設定し、検索された隣接端末の中の任意の単一隣接端末を選択して接続を要請するか、または任意の単一隣接端末からの接続要請を許可する段階と；
ｄ）前記端末が前記隣接端末と共有して同時再生するコンテンツの再生情報を管理する段階と；および
ｅ）前記端末が前記共有環境下で接続された前記隣接端末に共有したコンテンツをストリーミング方式で伝送する段階と；を含む
コンテンツ同時再生方法。
【請求項１３】
単一無線アクセスポイントのネットワークで隣接端末とコンテンツを共有して同時再生する端末のコンテンツ同時再生方法において、
ａ）前記端末が前記ネットワークの環境を識別する段階と；
ｂ）前記端末が駆動時、自分の情報をブロードキャスティング方式で伝播し、同一の方式で伝播された情報を通じて前記ネットワークの環境に属する同一構成の隣接端末を検索する段階と；
ｃ）前記端末が前記隣接端末と前記コンテンツを同時再生するための共有環境を設定し、検索された隣接端末の中の任意の単一隣接端末を選択して接続を要請するか、または、任意の単一隣接端末からの接続要請を許可する段階と；および
ｄ）前記端末が前記共有環境下で接続された前記隣接端末から共有されたコンテンツをストリーミング方式で受信して再生する段階と；を含む
コンテンツ同時再生方法。
【発明の詳細な説明】
【技術分野】
【０００１】
本発明は、コンテンツ同時再生端末、コンテンツ同時再生システムおよびコンテンツ同時再生方法に関する。特に、単一無線アクセスポイントのネットワーク環境でブロードキャスティングした所定の端末情報を通じて端末を相互に識別して、隣接端末とストリーミング方式でコンテンツを共有するようにして、両側の端末が一対一で該コンテンツを同時に再生するようにしたコンテンツ同時再生端末、コンテンツ同時再生システムおよびコンテンツ同時再生方法に関する。
【背景技術】
【０００２】
最近、音楽、映画、動画のような様々なコンテンツを便利に鑑賞することができる多様な携帯用電子機器等が発売されて、多くのユーザーが利用している。
このような携帯用電子機器の種類には、ＰＭＰ、ＭＰ３プレーヤーのような専用コンテンツ再生機器、あるいは、コンテンツ再生機能を搭載したスマートフォンや携帯端末が挙げられる。
【０００３】
また、前記のスマートフォンや携帯端末は、無線ネットワークを用いることのできる機能を内蔵するものが一般的である。
【０００４】
一方、既存には前記のスマートフォンや携帯端末を用いてコンテンツを鑑賞するユーザーが、自分の端末に内蔵されたコンテンツを隣接する他人と共有して利用できる手段が不備であった。
【０００５】
例えば、図１に図示したように、コンテンツを自分の端末（４０）に保存したユーザーが、これを他人と共有して鑑賞するためには、画面を共に見ながら、Ｙプラグ（４１：Ｙ  Ｐｌｕｇ）などを利用して、各々のイヤホンを連結して聴く方法などがあった。
【０００６】
しかし、これは単一端末を共有して鑑賞しなければならないため、画面が視聴できる視野角や、イヤホンの紐の長さなどによって、ユーザー等の動ける半径が狭く、鑑賞に没頭するには限界があった。
【０００７】
したがって、これを改善するための構成で、各々の端末で所定のコンテンツを共有して再生できるようにするコンテンツの共有構成が一般的に多く使われている。
【０００８】
図２は、ユーザーのコンピューター（１０、２０）を含むコンテンツ共有システムの例示図であって、これはインスタントメッセンジャーや通信（１１、２１）に多く用いられるコンテンツ共有構成の一般的な例であり、携帯端末の場合には、前記のユーザーコンピューター（１０、２０）をコンテンツの保存した端末であると仮定することができる。
【０００９】
この時、所定のコンテンツを保存した端末（１０、２０）間で前記コンテンツを共有して同時に利用できるようにするためには、両側の端末（１０、２０）を中継する管理サーバー（３０）の構成が必須的である。
【００１０】
前記管理サーバー（３０）は、ユーザー情報を管理するユーザーデータベースを備え、前記両側端末（１０、２０）の接続可否、または、接続情報を管理する。
【００１１】
したがって、ユーザーがこのような共有サービスを利用するためには、サービスに加入する必要があるため、会員加入およびサービス利用時の接続確認の手順も、また必須的である。
【００１２】
しかし、これは隣接するユーザーが同一コンテンツを同時に鑑賞しようとする目的に使うには、いくつかの問題点があった。
【００１３】
即ち、隣接するユーザー間の任意のユーザーの所蔵したコンテンツを共に鑑賞しようとする単純な目的に使うには、比較的に複雑な手順を通じて共有できるため、ユーザーの便宜性が非常に落ちることになる。
【００１４】
このような共有手順および同時再生手順の複雑さは、ユーザーがサービスを利用するにあたって、重要な回避原因となる可能性がある。
【００１５】
また、該サービスに様々な種類の端末および様々な種類のコンテンツにおける共有方式を全て提供するには限界があって、ネットワークの速度および距離によって、隣接端末であっても再生の同期化が正確になることが難しいという短所がある。
【００１６】
また、管理サーバー構成によってサーバーのメンテナンス関連の費用が要求されるのみならず、サービス提供者のサービス中断時に該サービスを利用することができなくなり、サービスの信頼性と持続性を保証することができない。
【００１７】
また、前記コンテンツは、ネットワークおよび管理サーバーを通じて中継され、物理的に受信側の端末へ伝送されなければならないため、前記管理サーバーで該サービスを提供するサービス提供者は、著作権抵触という法的な問題状況を考慮しないわけにはいかない。
【００１８】
したがって、隣接するユーザーに便利な手順を通じて比較的に容易にコンテンツを共有し、同時に鑑賞することのできる方法が要求される。
【００１９】
また、例えば特許文献１には、互いに通信可能に接続された据え置き録画機と携帯型再生端末とからなるコンテンツ再生システムであり、据え置き録画機はコンテンツを複数のブロックに分割してブロック毎に携帯型再生端末に送信する制御部を備え、携帯型再生端末はブロックを受信するデータ取得制御部ブロックとブロックを再生する再生データ制御部とを備える旨記載されている。
【先行技術文献】
【特許文献】
【００２０】
【特許文献１】特開２０１０−１０９９４６号公報
【発明の概要】
【発明が解決しようとする課題】
【００２１】
前述の問題点を改善するための本発明の実施例の目的は、単一無線アクセスポイントのネットワーク環境で、ブロードキャスティング方式で伝播された端末情報を用いて、隣接端末間で識別し、所定端末が任意の隣接端末と前記コンテンツを同時再生するための共有環境を設定および受諾することによって、端末間に一対一でコンテンツを共有し、同時再生するようにしたコンテンツ同時再生端末、コンテンツ同時再生システムおよびコンテンツ同時再生方法を提供する。
【００２２】
前述の問題点を改善するための本発明の実施例の他の目的は、ネットワーク環境の識別、隣接端末の検索および選択という単純な共有の手順を通じてコンテンツを同時再生することによって、コンテンツの共有および端末の確認の手順に必要な別途の管理サーバーが要求されないようにしたコンテンツ同時再生端末、コンテンツ同時再生システムおよびコンテンツ同時再生方法を提供する。
【００２３】
前述の問題点を改善するための本発明の実施例のまた他の目的は、一対一で接続された両側の端末でコンテンツを共有する時、一側の端末からストリーミング方式で伝送し、他側の端末がこれを受信して、隣接端末間で同時再生することによって、前記コンテンツが隣接端末間で再生された後に消滅されるようにしたコンテンツ同時再生端末、コンテンツ同時再生システムおよびコンテンツ同時再生方法を提供する。
【課題を解決するための手段】
【００２４】
前記の目的を達成するための本発明の実施例によるコンテンツ同時再生端末は、単一無線アクセスポイントのネットワークで隣接端末とコンテンツを共有して同時再生する端末において、前記ネットワークの環境を識別するネットワーク識別部と、駆動時、自分の情報をブロードキャスティング方式で伝播して、同一の方式で伝播された情報を通じて前記ネットワークの環境に属する同一構成の隣接端末を検索する共有端末検索部と、前記隣接端末と前記コンテンツを同時再生するための共有環境を設定し、検索された隣接端末の中の任意の単一隣接端末を選択して接続を要請するか、または、任意の単一隣接端末からの接続要請を許可する共有環境設定部と、前記隣接端末と共有して同時再生するコンテンツの再生情報を管理する再生情報部と、前記共有環境下で接続された前記隣接端末に共有したコンテンツをストリーミング方式で伝送するストリーミング部と、および前記共有環境下で接続された前記隣接端末から共有されたコンテンツをストリーミング方式で受信して再生するか、前記ストリーミング部が伝送するコンテンツを再生する再生部を備えた再生機能部とを含む。
【００２５】
前記共有環境設定部は、前記共有環境をマスターモード、または、スレーブモードと区分設定し、前記端末がマスターモードである場合、前記ストリーミング部を通じて前記共有環境下で接続した前記隣接端末に共有したコンテンツをストリーミング方式で伝送し、前記端末がスレーブモードである場合、前記再生部を通じて前記共有環境下で接続した前記隣接端末から共有されたコンテンツをストリーミング方式で受信して再生するようにすることができる。
【００２６】
この時、前記共有環境設定部は、前記端末がマスターモードである場合、前記同時再生するコンテンツの再生制御に関する権限を独占することが好ましい。
【００２７】
また、前記再生情報部は、コンテンツの再生リンク情報、または、既保存されたコンテンツのファイルを、前記コンテンツの再生情報として管理することができる。
【００２８】
また、前記再生情報部は、前記コンテンツの再生情報として、タイトル、歌手および再生時間のようなコンテンツの再生付加情報をさらに含めて管理することもできる。
【００２９】
一方、前記共有端末検索部は、前記ネットワークの環境に属する一つ以上の隣接端末をＩＰアドレスで区分して表示することが好ましい。
【００３０】
前記再生機能部は、アプリケーションの形式として具現することができる。
【００３１】
前記共有環境設定部は、前記共有するコンテンツをユーザーが選択することのできるコンテンツユーザーインターフェースをさらに含むことが好ましい。
【００３２】
前記再生するコンテンツの種類は、音楽、動画、または、映画の中の一つである可能性がある。
【００３３】
前記の目的を達成するための本発明の他の実施例によるコンテンツ同時再生システムは、単一無線アクセスポイントのネットワークで、前記ネットワークの環境に属する一つ以上の隣接端末を検索して、この中の所定隣接端末とコンテンツを共有して同時再生するコンテンツ同時再生システムであって、前記コンテンツ同時再生システムは、駆動時、自分の情報をブロードキャスティング方式で伝播して、同一の方式で伝播された情報を通じて前記ネットワークの環境に属する同一構成の隣接端末を検索し、隣接端末と前記コンテンツを同時再生するための共有環境を設定し、検索された隣接端末の中の任意の単一隣接端末を選択して接続を要請するか、または、任意の単一隣接端末からの接続要請を許可する第一端末および第二端末を含むが、前記第一端末は、前記第二端末と共有して同時再生するコンテンツの再生情報を管理し、前記共有環境下で接続された前記第二端末に共有したコンテンツをストリーミング方式で伝送し、前記第二端末は、前記共有環境下で接続された前記第一端末から共有したコンテンツをストリーミング方式で受信して再生する。
【００３４】
この時、前記第一端末は、前記同時再生するコンテンツの再生制御に関する権限を独占することが好ましい。
【００３５】
前記の目的を達成するための本発明のまた他の実施例によるコンテンツ同時再生方法は、単一無線アクセスポイントのネットワークで隣接端末とコンテンツを共有して同時再生する端末のコンテンツ同時再生方法であって、ａ）前記端末が前記ネットワークの環境を識別する段階と、ｂ）前記端末が駆動時、自分の情報をブロードキャスティング方式で伝播し、同一の方式で伝播された情報を通じて前記ネットワークの環境に属する同一構成の隣接端末を検索する段階と、ｃ）前記端末が前記隣接端末と前記コンテンツを同時再生するための共有環境を設定して、検索された隣接端末の中の任意の単一隣接端末を選択して接続を要請するか、または、任意の単一隣接端末からの接続要請を許可する段階と、ｄ）前記端末が前記隣接端末と共有して同時再生するコンテンツの再生情報を管理する段階と、およびｅ）前記端末が前記共有環境下で接続された前記隣接端末に共有したコンテンツをストリーミング方式で伝送する段階とを含む。
【００３６】
前記の目的を達成するための本発明のまた他の実施例によるコンテンツ同時再生方法は、単一無線アクセスポイントのネットワークで隣接端末とコンテンツを共有して同時再生する端末のコンテンツ同時再生方法であって、ａ）前記端末が前記ネットワークの環境を識別する段階と、ｂ）前記端末が駆動時、自分の情報をブロードキャスティング方式で伝播し、同一の方式で伝播された情報を通じて前記ネットワークの環境に属する同一構成の隣接端末を検索する段階と、ｃ）前記端末が前記隣接端末と前記コンテンツを同時再生するための共有環境を設定して、検索された隣接端末の中の任意の単一隣接端末を選択して接続を要請するか、または、任意の単一隣接端末からの接続要請を許可する段階と、およびｄ）前記端末が前記共有環境下で接続された前記隣接端末から共有されたコンテンツをストリーミング方式で受信して再生する段階とを含む。
【発明の効果】
【００３７】
本発明の実施例によるコンテンツ同時再生端末、コンテンツ同時再生システムおよびコンテンツ同時再生方法は、単一無線アクセスポイントのネットワーク環境でブロードキャスティング方式で伝播された端末情報を利用して隣接端末間で識別し、所定端末が任意の隣接端末と前記コンテンツを同時再生するための共有環境を設定および受諾することによって、端末間に一対一でコンテンツを共有して同時再生するようにして、複雑な共有の手順無しに、両側の隣接端末間で同一のコンテンツを直ちに鑑賞することができる効果がある。
【００３８】
本発明の実施例によるコンテンツ同時再生端末、コンテンツ同時再生システムおよびコンテンツ同時再生方法は、ネットワーク環境の識別、隣接端末の検索および選択という単純な共有の手順を通じてコンテンツを同時再生することによって、コンテンツの共有および端末確認の手順に必要な別途の管理サーバーが要求されないようにして、隣接端末間のコンテンツ共有および同時再生が非常に便利な効果がある。
【００３９】
本発明の実施例によるコンテンツ同時再生端末、コンテンツ同時再生システムおよびコンテンツ同時再生方法は、一対一で接続された両側の端末でコンテンツを共有する時、一側の端末からストリーミング方式で伝送し、他側の端末がこれを受信して隣接端末間で同時再生することによって、前記コンテンツが隣接端末間で再生された後に消滅するようにして、コンテンツの著作権抵触に関する法的紛争の素地を未然に防ぐ効果がある。
【図面の簡単な説明】
【００４０】
【図１】従来の同一コンテンツを鑑賞する例示図である。
【図２】一般的なコンテンツ共有システムの例示図である。
【図３】本発明の一実施例によるコンテンツ共有および同時再生の例示図である。
【図４】本発明の一実施例によるコンテンツ同時再生システムの構成図である。
【図５】本発明の一実施例によるネットワーク識別の例示図である。
【図６】本発明の一実施例によるコンテンツ同時再生の第一例示図である。
【図７】本発明の一実施例によるコンテンツ同時再生の第二例示図である。
【図８】本発明の一実施例によるコンテンツ同時再生の第一順序図である。
【図９】本発明の一実施例によるコンテンツ同時再生の第二順序図である。
【発明を実施するための形態】
【００４１】
前記のような本発明を添付の図面等と実施例等を通じて詳しく説明する。
【００４２】
図３は、本発明の一実施例によるコンテンツ共有および同時再生の例示図であって、両側の端末（１００、２００）の中の任意の端末（１００）の保存したコンテンツを各々のユーザー端末（１００、２００）を用いて隣接するユーザーが同時に再生して鑑賞するコンテンツ同時再生システムの構成を図示したものである。
【００４３】
前記コンテンツ同時再生システムは、単一の無線アクセスポイント（３００、ＡＰ：ＡＣＣＥＳＳ  ＰＯＩＮＴ）のネットワーク環境で所定の二台の端末（１００、２００）を含めて構成される。
【００４４】
前記端末（１００、２００）は、前記ネットワーク環境で自分の接続情報をブロードキャスティング方式で伝播し、任意の端末（１００）は、前記ネットワーク（３００）の環境に属する同一構成の隣接端末を同一の方式で伝播された情報を通じて検索し、この中の所定隣接端末（２００）とコンテンツを共有して一対一で同時再生する。
【００４５】
前記端末（１００）は、前記隣接端末（２００）と前記コンテンツを同時再生するための共有環境を設定する。
【００４６】
その後、前記端末（１００）は、検索された隣接端末の中の任意の単一隣接端末（２００）を選択して接続を要請するか、または、任意の単一隣接端末（２００）からの接続要請を許可する。
【００４７】
前記端末（１００）のユーザーおよび隣接端末（２００）のユーザーは、このような接続、共有環境設定および受諾、同時再生の機能を備えたアプリケーションを端末に設置して、コンテンツを同時再生することができる。
【００４８】
したがって、前記端末（１００）および隣接端末（２００）は、前記アプリケーションを設置することができて、無線ネットワーク環境を識別することのできるスマートフォンのような種類の端末が好ましいが、無線ネットワーク識別およびアプリケーションの設置のできるいかなる種類の機器でも差し支えはない。
【００４９】
前記コンテンツ共有システムは、単一の無線ネットワークカバレッジ内の環境（３００）でブロードキャスティングした端末情報を用いて隣接端末（２００）を識別して接続および同時再生を相互間に管理するため、これのための別途の管理サーバーが要らなく、隣接する環境でのコンテンツ共有が非常に便利な長所がある。
【００５０】
即ち、前記端末（１００）は、前記隣接端末（２００）と共有して同時再生するコンテンツの再生情報を管理し、前記共有環境下で接続された前記隣接端末（２００）に共有したコンテンツをストリーミング方式で伝送して前記隣接端末（２００）と同時再生するようにする。
【００５１】
また、前記隣接端末（２００）は、前記共有環境下で接続された前記端末（１００）から共有したコンテンツをストリーミング方式で受信して再生する。
【００５２】
ストリーミング方式は、容量の大きいファイルを実時間再生するために、小さい単位と分けて伝送することであり、前記コンテンツを送信する端末（１００）は、前記コンテンツを受信して再生する隣接受信端末に一方的なストリーミング方式でコンテンツを伝送するため、同時再生の同期化がほとんど誤差なく保障される。
【００５３】
この時、前記端末（１００）は、前記同時再生するコンテンツの再生制御に関する権限を独占するように前記共有環境を設定することもできる。
【００５４】
また、単一無線アクセスポイント（３００）のネットワーク環境で自分の情報をブロードキャスティング方式で伝播し、同一方式によって同一構成の隣接端末を検索するため、ネットワークでの相互端末（１００、２００）間の識別が非常に容易である。
【００５５】
前記に言及したように、このようなコンテンツ同時再生機能は、無線ＬＡＮ通信方式を支援するスマートフォンやパッドに適用されるアプリ（Ａｐｐ）として配布されることができる。
【００５６】
このように、前記コンテンツ同時再生システムは、単一無線アクセスポイント（３００）のネットワーク環境でブロードキャスティング方式で伝播された端末情報を用いて隣接端末間で識別して、所定端末（１００）が任意の隣接端末（２００）と前記コンテンツを同時再生するための共有環境を設定および受諾する過程のみで、端末間に一対一でコンテンツを共有して同時再生するようにして、複雑な共有の手順がなく、両側の隣接端末（１００、２００）間で同一のコンテンツを直ちに鑑賞することができる便利さがある。
【００５７】
図４は、本発明の一実施例によるコンテンツ同時再生システムの構成図であって、前記図３で図示した単一の無線アクセスポイント（３００）環境でコンテンツを共有して同時再生する両側の端末（１００、２００）構成を含むコンテンツ同時再生システムを図示したものである。
【００５８】
前記端末（１００）は、単一無線アクセスポイント（３００）のネットワークで隣接端末（２００）とコンテンツを共有して同時再生する端末（１００）であって、前記ネットワークの環境を識別するネットワーク識別部（１１０）と、駆動時、自分の情報をブロードキャスティング方式で伝播し、同一の方式で伝播された情報を通じて前記ネットワーク環境に属する同一構成の隣接端末を検索する共有端末検索部（１３０）と、前記隣接端末（２００）と前記コンテンツを同時再生するための共有環境を設定し、検索された隣接端末の中の任意の単一隣接端末（２００）を選択して接続を要請するか、または、任意の単一隣接端末（２００）からの接続要請を許可する共有環境設定部（１２０）と、前記隣接端末（２００）と共有して同時再生するコンテンツの再生情報を管理する再生情報部（１６０）と、前記共有環境下で接続された前記隣接端末（２００）に共有したコンテンツをストリーミング方式で伝送するストリーミング部（１４０）と、および前記共有環境下で接続された前記隣接端末（２００）から共有されたコンテンツをストリーミング方式で受信するか、前記ストリーミング部（１４０）が伝送するコンテンツを再生する再生部（１５０）を備えた再生機能部とを含む。
【００５９】
前記共有端末検索部（１３０）は、前記ネットワークの環境に属する一つ以上の隣接端末（２００）をＩＰアドレスで区分して表示することによって、隣接端末（２００）を容易に選択できるようにすることが好ましいが、他の違った識別者と区分して選択するようにすることもできる。
【００６０】
前記コンテンツ同時再生システムは、単一の無線アクセスポイント（３００）内の隣接端末間（１００、２００）でコンテンツ共有して同時再生するが、共有および同時再生に必要な別途の管理サーバー無しに、前記端末（１００）に内蔵された前記再生機能部を通じて相互間にコンテンツを同時再生することができて、隣接端末でのコンテンツ共有に非常に便利である。
【００６１】
この時、前記共有環境設定部（１２０）は、前記共有環境をマスターモード、または、スレーブモードと区分設定して、前記端末（１００）がマスターモードである場合、前記ストリーミング部（１４０）を通じて前記共有環境下で接続した前記隣接端末（２００）に共有したコンテンツをストリーミング方式で伝送し、前記端末（２００）がスレーブモードである場合、前記再生部（１５０）を通じて前記共有環境下で接続した前記隣接端末（１００）から共有されたコンテンツをストリーミング方式で受信して再生することが好ましい。
【００６２】
即ち、前記のコンテンツを提供する端末（１００）は、マスターモードと設定して隣接する受信端末（２００）にコンテンツを一方的に伝送し、前記隣接する受信端末（２００）は、該コンテンツを受信して、加工なく再生する。
【００６３】
これを通じて、両側の端末（１００、２００）を所持した各々のユーザーは、任意の端末（１００）に保存されたコンテンツを鑑賞するために、一つの端末（１００）を共に使う必要がなく、同じ場所で自分の端末（１００、２００）を通じて同一のコンテンツを各々鑑賞することができる。
【００６４】
前記端末（１００、２００）は、一対一で共有して同時再生し、前記コンテンツは、ストリーミング方式で再生され、再生が終わると消滅されるため、著作権などの抵触問題にも関係ない。
【００６５】
したがって、前記共有環境設定部（１２０）は、前記端末（１００）がマスターモードである場合、前記同時再生するコンテンツの再生制御に関する権限を独占し、隣接する受信端末（２００）は、受信するコンテンツを単純に鑑賞できるようにすることがさらに好ましい。
【００６６】
また、前記端末等（１００、２００）は、ネットワーク環境の識別、隣接端末の検索および選択という単純な共有の手順を通じてコンテンツを同時再生し、コンテンツの共有および端末確認の手順に必要な別途の管理サーバーが要求されないのみならず、同時再生の同期化が向上されて隣接端末間のコンテンツ共有および同時再生が非常に便利な長所がある。
【００６７】
また、前記再生機能部は、アプリケーションの形式として具現し、前記共有環境設定部（１２０）の機能に前記共有するコンテンツをユーザーが選択することのできるコンテンツユーザーインターフェースを含めて具現することによって、コンテンツの保存した端末（１００）を所持したユーザーが隣接する受信端末（２００）に選択したコンテンツのみを同時再生できるように制御することができる。
【００６８】
このような共有コンテンツの代表的な種類としては、音楽、動画、または、映画が挙げられるが、再生可能な所定のコンテンツであれば、いかなるものであっても差し支えない。
【００６９】
また、前記再生情報部（１６０）は、コンテンツの再生リンク情報、または、既保存されたコンテンツのファイルを、前記コンテンツの再生情報として管理することが好ましい。
【００７０】
即ち、コンテンツを伝送する所定端末（１００）は、前記コンテンツを隣接する受信端末（２００）に提供する時、既保存されたコンテンツを提供できるのみならず、自分が会員加入した音源サイトなどのコンテンツを共有して鑑賞することもできる。
【００７１】
例えば、前記コンテンツを伝送する所定端末（１００）が、前記音源サイトに接続して前記コンテンツの再生リンク情報を選択し、選択して再生される音源コンテンツを実時間で前記隣接する受信端末（２００）に伝送することが好ましい。 
【００７２】
また、前記再生情報部（１６０）は、前記コンテンツの再生情報として、タイトル、歌手および再生時間のようなコンテンツの再生付加情報をさらに含めて管理することもできる。
【００７３】
このように、前記コンテンツ同時再生システムは、一対一で接続された両側の端末（１００、２００）でコンテンツを共有する時、一側の端末（１００）からストリーミング方式で伝送し、他側の端末（２００）がこれを受信して、隣接端末間で同時再生するようにして、前記コンテンツが隣接端末間で再生された後に消滅されるため、コンテンツの著作権抵触に関する法的紛争の素地を未然に防ぐことができる。
【００７４】
図５は、本発明の一実施例によるネットワーク識別の例示図であって、任意の端末から所定の単一ネットワーク環境を識別するためのユーザーインターフェースを提供することを図示したものである。
【００７５】
ユーザーは、前記のネットワーク環境を識別して、該環境で無線ネットワークを使用するために'はい'（１０１）を選択してネットワーク環境を設定する。
【００７６】
図６は、本発明の一実施例によるコンテンツ同時再生の第一例示図であって、既保存されたコンテンツを共有しようとする端末のユーザーインターフェースを図示したものである。
【００７７】
図６（ａ）を参照すると、コンテンツを伝送する端末のユーザーが共有する（１０３）を選択すると、前記単一ネットワーク環境でコンテンツを受信することのできる隣接端末のＩＰアドレス（ＩＰ  Ａｄｄｒｅｓｓ）がポップアップウィンドウで提供される。
【００７８】
ユーザーは、前記ポップアップウィンドウで受信を求める隣接端末のＩＰアドレスを選択（１０４）する。
【００７９】
図６（ｂ）を参照すると、その後、既保存されたコンテンツの中で、共有するコンテンツを選択（１０５）し、選択再生ボタン（１０６）をクリックすると、前記選択した隣接端末に前記選択したコンテンツが伝送される。
【００８０】
図７は、本発明の一実施例によるコンテンツ同時再生の第二例示図であって、前記の単一無線ネットワーク環境で既保存されたコンテンツを共有しようとする端末から前記コンテンツを共有してもらおうとする隣接端末のユーザーインターフェースを図示したものである。
【００８１】
図７（ａ）を参照すると、コンテンツを受信して同時再生してもらおうとする隣接端末のユーザーが共有してもらう（１０７）を選択する。
【００８２】
図７（ｂ）を参照すると、前記隣接端末は、前記単一無線ネットワークで選択することのできる端末を検索（１０８）する。
【００８３】
図７（ｃ）を参照すると、その後、前記隣接端末の画面に選択可能な端末をIPアドレスで区分して表示したポップアップウィンドウが提供され、前記隣接端末のユーザーが該ポップアップウィンドウでコンテンツを同時再生したい端末を選択（１０９）すると、該コンテンツが両側の端末で同時に再生され、鑑賞できるようになる。
【００８４】
図８は、本発明の一実施例によるコンテンツ同時再生の第一順序図であって、コンテンツを伝送する端末の同時再生方法を図示したものである。
【００８５】
前記コンテンツ同時再生方法は、単一無線アクセスポイントのネットワークで隣接端末とコンテンツを共有して同時再生する端末のコンテンツ同時再生方法であって、前記端末が前記ネットワークの環境を識別する段階（Ｓ８１０）と、前記端末が駆動時、自分の情報をブロードキャスティング方式で伝播して、同一の方式で伝播された情報を通じて前記ネットワークの環境に属する同一構成の隣接端末を検索する段階（Ｓ８２０）と、前記端末が前記隣接端末と前記コンテンツを同時再生するための共有環境を設定し、検索された隣接端末の中の任意の単一隣接端末を選択して接続を要請するか、または、任意の単一隣接端末からの接続要請を許可する段階（Ｓ８３０）と、前記端末が前記隣接端末と共有して同時再生するコンテンツの再生情報を管理する段階（Ｓ８４０）と、および前記端末が前記共有環境下で接続された前記隣接端末に共有したコンテンツをストリーミング方式で伝送する段階（Ｓ８５０）とを含む。
【００８６】
この時、前記再生段階（Ｓ８５０）は、前記端末が前記同時再生するコンテンツの再生制御に関する権限を独占するようにすることもできる。
【００８７】
図９は、本発明の一実施例によるコンテンツ同時再生の第二順序図であって、コンテンツをストリーミング方式で受信して同時再生する隣接端末のコンテンツ同時再生方法を図示したものである。
【００８８】
前記コンテンツ同時再生方法は、単一無線アクセスポイントのネットワークで隣接端末とコンテンツを共有して同時再生する端末のコンテンツ同時再生方法であって、前記端末が前記ネットワークの環境を識別する段階（Ｓ９１０）と、前記端末が駆動時、自分の情報をブロードキャスティング方式で伝播し、同一の方式で伝播された情報を通じて前記ネットワークの環境に属する同一構成の隣接端末を検索する段階（Ｓ９２０）と、前記端末が前記隣接端末と前記コンテンツを同時再生するための共有環境を設定し、検索された隣接端末の中の任意の単一隣接端末を選択して接続を要請するか、または、任意の単一隣接端末からの接続要請を許可する段階（Ｓ９３０）と、および前記端末が前記共有環境下で接続された前記隣接端末から共有されたコンテンツをストリーミング方式で受信して再生する段階（Ｓ９４０）とを含む。
【００８９】
以上、本発明による好ましい実施例等について図示し、説明した。しかし、本発明は、前述の実施例に限定されることなく、特許請求の範囲に添付する本発明の要旨を外れることなく該発明が属する技術分野で通常の知識を有する者であれば、誰でも様々な変形実施が可能である。
【符号の説明】
【００９０】
１０    ユーザーコンピューター
１１    インスタントメッセンジャー
２０    ユーザーコンピューター
２１    インスタントメッセンジャー
３０    管理サーバー
４０    自分の端末
４１    Ｙプラグ
１００    ユーザー端末
１０６    選択再生ボタン
１１０    ネットワーク識別部
１２０    共有環境設定部
１３０    共有端末検索部
１４０    ストリーミング部
１５０    再生部
１６０    再生情報部
２００    ユーザー端末
３００    単一無線アクセスポイント
【図１】
2012249275.tif 000003
【図２】
2012249275.tif 000004
【図３】
2012249275.tif 000005
【図４】
2012249275.tif 000006
【図５】
2012249275.tif 000007
【図６】
2012249275.tif 000008
【図７】
2012249275.tif 000009
【図８】
2012249275.tif 000010
【図９】
2012249275.tif 000011